【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
撮像時に発光する本発光の前にプリ発光を行うストロボを有し、前記ストロボを発光制御可能なカメラ装置であって、
入射される光を電気信号に変換する撮像素子と、
前記撮像素子からの電気信号における光量を検出する信号処理手段と、
前記信号処理手段からの制御に基づき前記ストロボの発光制御を行うストロボ制御手段と、
前記プリ発光前に前記信号処理手段からの制御に基づき前記撮像素子に蓄積されている電荷を掃き出すよう制御する撮像素子駆動制御手段と、を備えたカメラ装置。
【請求項２】
撮像時に発光する本発光の前にプリ発光を行うストロボを有し、前記ストロボを発光制御可能なカメラ装置であって、
入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記信号処理手段からの制御に基づき前記撮像素子を駆動制御する撮像素子駆動制御手段とを備え、
ストロボ発光要求が入力された際、前記信号処理手段は、まず撮像素子駆動制御手段に対して前記撮像素子に蓄積されている電荷を掃き出すよう制御し、次にストロボ制御手段が前記ストロボに対してプリ発光を行うよう制御し、次に前記信号処理手段が前記撮像素子で撮像した映像信号に基づき本発光の発光量を制御し、次に前記ストロボ制御手段が前記ストロボに対して本発光を行うよう制御することを特徴とするカメラ装置。
【請求項３】
撮像時に発光する本発光の前にプリ発光を行うストロボを有し、前記ストロボを発光制御可能なカメラ装置であって、
光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路とを前記アンプ回路からの信号を元に制御する露光制御手段と、前記露光制御手段の前記光量制限手段と前記アンプ回路の制御情報を読み取り前記撮像素子駆動手段に割り込み制御をかける撮像素子制御手段と、前記露光制御手段から前記ストロボを制御するストロボ制御手段とを有し、
ストロボ発光要求が入力された際、前記撮像素子制御手段は前記撮像素子駆動手段を制御して前記撮像素子に蓄積している電荷を掃き出し、前記ストロボ制御手段が前記ストロボに対してプリ発光をするよう制御することを特徴とするカメラ装置。
【請求項４】
撮像素子制御手段は、前記露光制御手段からの前記光量制限手段の制御情報へ重み付けが可能なアイリス情報重み付け手段と、前記露光制御手段からの前記アンプ回路の制御情報へ重み付けが可能なＡＧＣ情報重み付け手段と、前記アイリス情報重み付け手段と、前記ＡＧＣ情報重み付け手段から、前記撮像素子駆動手段への割込みタイミングを決定するタイミング決定手段を有する事を特徴とする請求項３のカメラ装置。
【請求項５】
閃光を照射するストロボ装置であって、
光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り前記撮像素子駆動手段に割り込み制御をかける撮像素子制御手段と、前記露光制御手段からストロボを制御するストロボ制御手段とからなるカメラ装置に接続可能で、
前記ストロボ制御手段の出力に応じて発光量を制御されることを特徴とするストロボ装置。
【手続補正２】
【補正対象書類名】明細書
【補正対象項目名】０００６
【補正方法】変更
【補正の内容】
【０００６】
この課題を達成するために本発明のカメラ装置は、撮像時に発光する本発光の前にプリ発光を行うストロボを有し、前記ストロボを発光制御可能なカメラ装置であって、入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記プリ発光前に前記信号処理手段からの制御に基づき前記撮像素子に蓄積されている電荷を掃き出すよう制御する撮像素子駆動制御手段と、を備えたものである。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
本発明の請求項１に記載の発明は、撮像時に発光する本発光の前にプリ発光を行うストロボを有し、前記ストロボを発光制御可能なカメラ装置であって、入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記プリ発光前に前記信号処理手段からの制御に基づき前記撮像素子に蓄積されている電荷を掃き出すよう制御する撮像素子駆動制御手段と、を備えたものである。
本発明の請求項２に記載の発明は、撮像時に発光する本発光の前にプリ発光を行うストロボを有し、前記ストロボを発光制御可能なカメラ装置であって、入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記信号処理手段からの制御に基づき前記撮像素子を駆動制御する撮像素子駆動制御手段とを備え、ストロボ発光要求が入力された際、前記信号処理手段は、まず撮像素子駆動制御手段に対して前記撮像素子に蓄積されている電荷を掃き出すよう制御し、次にストロボ制御手段が前記ストロボに対してプリ発光を行うよう制御し、次に前記信号処理手段が前記撮像素子で撮像した映像信号に基づき本発光の発光量を制御し、次に前記ストロボ制御手段が前記ストロボに対して本発光を行うよう制御するものである。
【手続補正５】
【補正対象書類名】明細書
【補正対象項目名】００１０
【補正方法】変更
【補正の内容】
【００１０】
本発明の請求項３に記載の発明は、光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り、前記撮像素子駆動手段に割り込み制御をかける撮像素子制御手段と、前記露光制御手段から、ストロボを制御するストロボ制御手段と、前記ストロボ制御手段の出力に応じて発光量が変化可能なストロボを有することを特徴とするカメラ装置であって、前記露光制御手段からの情報を元に、前記ＣＣＤ制御手段から前記ＣＣＤ駆動手段へ割り込みを行い、前期ＣＣＤへの露光時間をコントロールし、プリ発光によって得られる画面データを常に一定に保てるようにし、周囲の光などに影響されず、安定してストロボ撮影を提供する作用を有する。
【手続補正６】
【補正対象書類名】明細書
【補正対象項目名】００１１
【補正方法】変更
【補正の内容】
【００１１】
請求項４に記載の発明は、前記露光制御手段からの前記光量制限手段の制御情報へ重み付けが可能なアイリス情報重み付け手段と、前記露光制御手段からの前記アンプ回路の制御情報へ重み付けが可能なＡＧＣ情報重み付け手段と、前記アイリス情報重み付け手段と、前記ＡＧＣ情報重み付け手段から、前記ＣＣＤ駆動手段への割込みタイミングを決定するタイミング決定手段を有する事を特徴とする請求項１のカメラ装置であって、重み付けされた情報により、前記ＣＣＤに露光された電荷を前記タイミング決定手段により決定されたタイミングにより、プリ発光前に、電荷を前記ＣＣＤから排出させる作用を有する。
【手続補正７】
【補正対象書類名】明細書
【補正対象項目名】００１２
【補正方法】変更
【補正の内容】
【００１２】
請求項５に記載の発明は、閃光を照射するストロボ装置であって、光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り、前記撮像素子駆動手段に割り込み制御をかける撮像素子制御手段と、前記露光制御手段から、ストロボを制御するストロボ制御手段とからなるカメラ装置に接続可能で、前記ストロボ制御手段の出力に応じて発光量を制御されることを特徴とするストロボ装置に関するものである。